【事件の表示】
　平成　５年特許願第１４１３２６号「感熱記録材料」拒絶査定不服審判事件〔平成　６年１１月２９日出願公開、特開平　６−３２８８４９〕について、次のとおり審決する。
【結　論】
　本件審判の請求は、成り立たない。
【理　由】
１．手続の経緯・本願発明
　本願は、平成５年５月１９日の出願であって、平成１２年１０月２日付け、平成１３年３月７日付け及び平成１６年７月２０日付け手続補正書により補正された明細書及び図面の記載からみて、その請求項１に係る発明（以下、「本願発明」という。）は次のとおりのものである。
「【請求項１】　支持体上に、少なくとも発色剤及び該発色剤と反応して発色する顕色剤を含有する感熱記録層、及び、該感熱記録層上に少なくともアルキルスルホコハク酸塩とフッ素系界面活性剤からなる混合界面活性剤を固形分で０．０１〜５重量％含有する水溶性樹脂層を設けた感熱記録材料であって、前記、アルキルスルホコハク酸塩が下記化１で表されると共に、フッ素系界面活性剤がパーフルオロアルキルカルボン酸塩、パーフルオロアルキルスルホン酸塩、パーフルオロアルキルリン酸エステル、パーフルオロアルキルエチレンオキシド付加物、パーフルオロアルキルトリメチルアンモニウム塩、パーフルオロアルキルベタインから選択され、且つ、アルキルスルホコハク酸塩/フッ素系界面活性剤が１/９〜９/１であることを特徴とする感熱記録材料。
【化１】
　化１式中、Ｒ１及びＲ２は、アルキル基であり、Ｍはアルカリ金属又はＮＨ４である。Ｒ１及びＲ２は同一であっても、異なっても良い。」
　
２．当審の拒絶理由の概要
　本願発明は、その出願前日本国内において頒布された、
　　刊行物１：特開昭５７−１０７８８４号公報
　　刊行物２：特開昭６０−４６２９５号公報
に記載された発明に基づいて、その出願前にその発明の属する技術の分野における通常の知識を有する者が容易に発明をすることができたものであるから、特許法第２９条第２項の規定により特許を受けることができず、また、本願は、明細書の記載に不備があるから、特許法第３６条第４項、第５項第２号及び第６項に規定する要件を満たしていないないというものである。
　
３．引用刊行物の記載内容
・刊行物１には、
ア．「１．無色の発色性染料と該染料を熱時発色させる電子受容性物質および結着剤を主成分とする発色層を支持体上に設けた感熱記録シートにおいて、前記発色層中に３〜１５％（重量％）のフッ素系界面活性剤を含有させるか、或いは前記発色層上にフッ素系界面活性剤を含有する保護層を設けたことを特徴とする感熱記録シート。」（特許請求の範囲）、
イ．「前記発色層上にフッ素系界面活性剤を含有する保護層を設けた感熱記録シートは可塑剤を含むフィルムとの密着時の退色が非常に少ないことを見出した。」（第２頁右上欄第８〜１１行）、
ウ．「前記保護層を設けフッ素系界面活性剤を含有させる場合、フッ素系界面活性剤の添加量は保護層全体の０．０１乃至５重量が好ましくコスト的にも経済性がある。」（第２頁左下欄第４〜７行）、
エ．「本発明に用いられるフッ素系界面活性剤とは、・・・例えばパーフルオロアルキルカルボン酸塩、パーフルオロアルキルスルホン酸塩、パーフルオロアルキル燐酸エステル、パーフルオロアルキルエチレンオキシド付加物、パーフルオロアルキルトリメチルアンモニウム塩、パーフルオロアルキルベタイン・・・などである。」（第２頁左下欄第１１行〜右下欄第５行）、
オ．「添加材料として、塗液適性の改善、発色感度の調整、加熱ヘッドへの粘着または粕付着の防止のために塗液中へ充填剤、・・・、ハジキ防止剤などの界面活性剤を加える事も可能である。」（第３頁左下欄第８〜１２行）、
カ．「実施例２．
(1)　Ａ液調製
・・・・・・・・・・・・・・・・・・・・・・・・・・・・・・・・・・
(3)　Ｃ液調製
　１０％パーフロオロアルキルトリメチルアンモニウム水溶液　　　　２部
　１０％アクリルアミドアクリルエステル共重合体水溶液　　　　１００部
・・・・・・・・・・・・・・・・・・・・・・・・・・・・・・・・・・
(4) 保護層の形成
　上記発色層上にＣ液を乾燥重量が１ｇ／ｍ２になるように塗工し保護層を設け２層構成よりなる感熱記録紙を得た。」（第４頁右上欄第１行〜左下欄８行）
と記載されている。
　以上ア〜カの記載から、刊行物１には、「無色の発色性染料と該染料を熱時発色させる電子受容性物質および結着剤を主成分とする発色層、該発色層上に、パーフルオロアルキルカルボン酸塩、パーフルオロアルキルスルホン酸塩、パーフルオロアルキル燐酸エステル、パーフルオロアルキルエチレンオキシド付加物、パーフルオロアルキルトリメチルアンモニウム塩、パーフルオロアルキルベタイン等のフッ素系界面活性剤を０．０１乃至５重量含有する保護層を設けた感熱記録シートが記載され、さらに、保護層は、フッ素系界面活性剤とアクリルアミドアクリルエステル共重合体の水溶液を塗工して形成したことが記載されているものと認める。
・刊行物２には、
キ．「(1)　少なくとも発色剤及び該発色剤と接触して呈色する呈色剤を含有する感熱記録層上に、アルキルスルフォコハク酸塩を含有する水溶性樹脂層を設けたことを特徴とする感熱記録体。
(2)　水溶性樹脂層が０．０１〜５重量％（固型分）のアルキルスルフォコハク酸塩を含有する請求の範囲第(1)項記載の感熱記録体。
(3)　アルキルスルフォコハク酸塩がアルキルスルフォコハク酸のアルカリ金属塩、アンモニウム塩である請求の範囲第(1)項又は第(2)項記載の感熱記録体。」（特許請求の範囲第１〜３項）、
ク．「感熱記録層上に水性樹脂コーティングを施す場合、これらの樹脂塗料は感熱記録層との親和性が必ずしも充分ではなく、均一な厚みを有する樹脂層の形成が難しく、取分け塗液中に消泡剤等の油状成分が含まれるような場合には、塗抹面上に著しいハジキ現象を生じることがある。このように不均一でハジキ跡の有る樹脂層では、樹脂層を設ける本来の目的を達成することはできず、印字の保存性に劣るのみならず、サーマルヘッドで樹脂層がスティッングを起す恐れすらある。・・・特に記録層上に設ける樹脂層について鋭意研究の結果、アルキルスルフォコハク酸塩を樹脂塗液中に添加すると、樹脂塗液の感熱記録層上への塗抹が極めて容易となり、樹脂塗液の感熱記録層中への過度の浸透も抑えられ、均一性に富んだ樹脂層が形成されることを見出し本発明を達成するに至った。」（２頁左上欄３行〜右上欄７行）、
ケ．「本発明の感熱記録体は前述の如く、かくして形成される記録層上に、アルキルスルフォコハク酸塩を含有する水溶性樹脂層を設けるところに重要な特徴を有するものであるが、かかるアルキルスルフォコハク酸塩としては、特に、下記一般式で表されるアルキルスルフォコハク酸塩のアルカリ金属又はアンモニウム塩がより好ましく用いられる。
　　　　　ＣＨ２−ＣＯＯＲ１　　　　
　　　　　│
　　　　　ＣＨ−ＣＯＯＲ２　　　
　　　　　│
　　　　　ＳＯ３Ｍ
〔式中、Ｒ１、Ｒ２はアルキル基を、またＭはアルカリ金属又はＮＨ４を示す。〕」（４頁左下欄４行〜下から５行）、
コ．「水溶性樹脂塗液中に添加せしめられるアルキルスルフォコハク酸塩の割合が固型分で０．０１重量％より少なくなると、樹脂塗液の感熱記録層上への塗抹適性が殆ど改良されず、均一性に富んだ樹脂層を形成することができない。しかし、余りに添加割合が多くなりすぎ、例えば固型分で５重量％を越えると、樹脂塗液が発泡してやはり不均一な樹脂層となってしまう。従って、水溶性樹脂塗液中に添加せしめられるアルキルスルフォコハク酸塩の割合は固型分で０．０１〜５重量％、より好ましくは０．２〜２重量％の範囲で調節されるのが望ましい。」（４頁右下欄１０行〜５頁左上欄１行）と記載されている。
　
４．当審の判断
　本願発明と刊行物１に記載された発明とを対比すると、
　後者の「無色の発色性染料」、「電子受容性物質」、「発色層」、「感熱記録シート」は、前者の「発色剤」、「顕色剤」、「感熱記録層」、「感熱記録材料」にそれぞれ相当し、
　後者の「保護層」は、アクリルアミドアクリルエステル共重合体水溶液を塗工して形成した層であるので、前者の「水溶性樹脂層」といえるから、
　両者は、「支持体上に、少なくとも発色剤及び該発色剤と反応して発色する顕色剤を含有する感熱記録層、及び、該感熱記録層上にフッ素系界面活性剤を固形分で０．０１〜５重量％含有する水溶性樹脂層を設けた感熱記録材料であって、該フッ素系界面活性剤がパーフルオロアルキルカルボン酸塩、パーフルオロアルキルスルホン酸塩、パーフルオロアルキルリン酸エステル、パーフルオロアルキルエチレンオキシド付加物、パーフルオロアルキルトリメチルアンモニウム塩、パーフルオロアルキルベタインから選択されるもの」である点で一致し、次の点で相違する。
　相違点
　前者では、水溶性樹脂層中にフッ素系界面活性剤と共に【化１】で表される特定のアルキルスルホコハク酸塩を含有しており、水溶性樹脂層中に混合界面活性剤を固型分で０．０１〜５重量％含有し、かつアルキルスルホコハク酸塩/フッ素系界面活性剤が１/９〜９/１であるのに対して、後者では、水溶性樹脂層中にアルキルスルホコハク酸塩を含有させることは示されていない点。
　上記相違点について検討する。
　刊行物１には、加熱ヘッドへの粘着（スティッキング）防止するため、フッ素系界面活性剤を含有する保護層の塗液にハジキ防止剤などの界面活性剤を添加してもよいこと（オ）が記載されている。
　他方、刊行物２には、感熱記録層上に水性樹脂コーティングを施すとハジキ現象を生じ、そのハジキ跡のある樹脂層ではスティッキングを起すことがあるが、水性樹脂塗液中にアルキルスルホコハク酸塩を添加すると、感熱記録層上への水性樹脂塗液の塗抹が極めて容易となること（ク）が記載され、本願発明の【化１】で表される特定のアルキルスルホコハク酸塩（ケ）を水溶性樹脂層中に０．０１〜５重量％含有すること（コ）が記載されているが、この「塗抹が極めて容易となる」とは、ハジキのない水性樹脂膜を形成できることであって、アルキルスルホコハク酸塩がハジキ防止剤であることを意味している。
　そうすると、刊行物１に記載のフッ素系界面活性剤を含有する保護層の塗液に、ハジキ防止剤として、刊行物２に記載の、特定のアルキルスルホコハク酸塩を含有させることは容易に想到できたことといえる。
　さらに、アルキルスルホコハク酸塩とフッ素系界面活性剤の２つの界面活性剤を含有するのであるから、両界面活性剤の含有量、重量比を決定することは当然に必要なことであって、アルキルスルホコハク酸塩とフッ素系界面活性剤の両界面活性剤を水性樹脂層の固形分に対して０．０１〜５重量％という含有量、及びアルキルスルホコハク酸塩/フッ素系界面活性剤が１/９〜９/１という重量比としたことは、刊行物１、２に記載の、保護層中の界面活性剤の含有量の記載、及び界面活性剤の作用を奏させるために必要な量に基づいて、当業者が適宜決めうることである。
　そして、フッ素系界面活性剤に帯電防止作用があることは周知であるから（必要なら、特開昭４６−７７８１号公報、特開昭４９−１３３０２３号公報、特開昭５０−１１３２２１号公報、特開昭５０−１６００３４号公報等を参照。）、本願発明において、フッ素系界面活性剤により帯電によるゴミ付着が防止されることは予想し得なかったことではない。
　したがって、本願発明は、刊行物１、２に記載された発明に基づいて、当業者が容易に発明をすることができたものである。
　
５．むすび
　以上検討したとおり、本願発明は、本願出願前に頒布された刊行物１及び２に記載の発明に基づいて当業者が容易に発明をすることができたものであるから、特許法第２９条第２項の規定により特許を受けることはできない。
　よって、結論のとおり審決する。